(57)【要約】【課題】ブラシを整流子へ向けて付勢するねじりコイルばねの組付け作業性を向上する。【解決手段】モータケース２に固定されるエンドキャップ３の外側面に、エンドキャップ３の一端面側から他端面側へ軸方向と平行に延出し、かつ外方が開口した係止溝１５を凹設し、ねじりコイルばね１１の直線部１１ｃを係止溝１５に係合する。そして、係止溝１５に係合した直線部１１ｃの先端をエンドキャップ３に固定される回路基板４に電気的に接続する。【選択図】図１
2009124797.tif 000002
【特許請求の範囲】
【請求項１】
ロータを回転自在に収容したモータケースと、前記モータケースの開口を閉塞する非導電性のエンドキャップと、前記エンドキャップに支持され、前記ロータに設けた整流子に接触可能なブラシと、前記エンドキャップにおける一端面側に支持され、前記ブラシを前記整流子に向けて押圧付勢する導電性のねじりコイルばねと、前記エンドキャップにおける前記一端面と反対側の他端面側に固定され、前記ねじりコイルばねのコイル部から前記ロータの軸方向に平行に延出する直線部が電気的に接続される回路基板とを備えた電動モータにおいて、
前記エンドキャップの外側面に、前記エンドキャップの一端面側から他端面側へ前記軸方向と平行に延出し、かつ外方が開口した係止溝を凹設すると共に、前記ねじりコイルばねの直線部を前記係止溝に係合したことを特徴とする電動モータ。
【発明の詳細な説明】
【技術分野】
【０００１】
本発明は、ブラシを整流子へ向けて押圧付勢するねじりコイルばねを介して整流子に給電するようにした電動モータに関する。
【背景技術】
【０００２】
特に、小型の電動モータにおいては、ロータを回転自在に収容したほぼ円筒形のモータケースに、合成樹脂製のエンドキャップを嵌合し、このエンドキャップに、ロータに設けた整流子に接触可能な１対の導電性のブラシを摺動自在に支持すると共に、このブラシを導電性のねじりコイルばねによって整流子へ向けて付勢している。そして、ねじりコイルばねの直線部を、エンドキャップに固定される回路基板に電気的に接続することによって、回路基板、ねじりコイルばね及びブラシを介して、整流子に給電するようにしている（例えば、特許文献１）。
【０００３】
【特許文献１】特開２００１−３７１６６号公報
【発明の開示】
【発明が解決しようとする課題】
【０００４】
しかし、上記特許文献１に記載された電動モータにおいては、ねじりコイルばねの直線部を回路基板に電気的に接続する作業の前段階で、極めて細径のねじりコイルばねの直線部を、エンドキャップに設けた小径貫通孔に真直ぐに挿入して貫通させる必要があるため、エンドキャップに対するねじりコイルばねの組み付けが非常に面倒であって、組立て作業効率の低下を招いていた。
【０００５】
本発明は、上述した従来の課題に鑑み、ブラシを整流子へ向けて付勢するねじりコイルばねの組付け作業性を向上した電動モータを提供することにある。
【課題を解決するための手段】
【０００６】
本発明によると、上記課題は次のようにして解決される。
ロータを回転自在に収容したモータケースと、モータケースの開口を閉塞する非導電性のエンドキャップと、エンドキャップに支持され、ロータに設けた整流子に接触可能なブラシと、エンドキャップにおける一端面側に支持され、ブラシを整流子に向けて押圧付勢する導電性のねじりコイルばねと、エンドキャップにおける一端面と反対側の他端面側に固定され、ねじりコイルばねのコイル部からロータの軸方向へ平行に延出する直線部が電気的に接続される回路基板とを備えた電動モータにおいて、エンドキャップの外側面に、エンドキャップの一端面側から他端面側へロータの軸方向と平行に延出し、かつ外方が開口した係止溝を凹設すると共に、ねじりコイルばねの直線部を係止溝に係合する。この構成により、ねじりコイルばねの直線部をエンドキャップの外側から係止溝に係合するだけで、ねじりコイルばねの直線部をエンドキャップに簡単に係合させることができる。また、エンドキャップに従来のような小径貫通孔を成型する必要が無くなるため、エンドキャップの成形が容易になる。
【発明の効果】
【０００７】
本発明によると、ブラシを整流子へ向けて付勢するねじりコイルばねをエンドキャップに簡単に組み付けることができ、組付け作業性の向上を図ることができる。
【発明を実施するための最良の形態】
【０００８】
図１〜図３は、電動モータの分解斜視図、図４は、電動モータの斜視図、図５は、図４におけるＶ−Ｖ線断面図、図６は、図５におけるVI-VI線断面図である。なお、以下の説明においては、図２における右斜め上方を前方とし、左斜め下方を後方とする。
【０００９】
電動モータ１は、前部が開口した筒形のモータケース２と、モータケース２の開口に嵌合固定される合成樹脂製のエンドキャップ３と、エンドキャップ３の前端面に固定される回路基板４と、モータケース２の内面に固定される永久磁石５と、モータケース２内に前後方向を向く回転軸７により回転自在に枢支されるロータ８及び整流子９と、エンドキャップ３に摺動自在に支持され、整流子９の外周面に接触可能な導電性のブラシ１０と、ブラシ１０を整流子９に向けて押圧付勢する導電性のねじりコイルばね１１とを備えている。
【００１０】
エンドキャップ３は、絶縁性及び耐熱性のある合成樹脂製で形成されると共に、その中心部には、回転軸７の後端部を枢支する軸孔１３が穿設され、後端面近傍の側面には、整流子９が摺動自在に挿入されるガイド孔１２が設けられ、また、後端面には、ねじりコイルばね１１のコイル部１１ａを支持するための後方を向く支持部１４が突設されている。さらには、エンドキャップ３の外側面には、エンドキャップ３の前端面側から後端面側へ回転軸７と平行に延出し、かつ外方が開口した係止溝１５が凹設されている。係止溝１５の前端は、エンドキャップ３の前端面側に形成された回路基板４の取付片４ａが係合する切欠部１６に連通している。
【００１１】
ねじりコイルばね１１は、支持部１４に巻装支持されるコイル部１１ａと、コイル部１１ａの一端から延出し、ブラシ１０の外端面に設けられたＶ字状の係止溝１０ａに係合して、ブラシ１０を整流子９の外周面に向けて押圧付勢する押圧部１１ｂと、コイル部１１ａの他端から回転軸７の軸線方向と平行に前方へ延出する直線部１１ｃとから形成される。
【００１２】
回路基板４は、その両側部に突設された取付片４ａをエンドキャップ３の切欠部１６に係合することによって、エンドキャップ３の前端面に固定される。回路基板４には、各種電子部品が実装されると共に、取付片４ａの近傍で、かつねじりコイルばね１１の直線部１１ｃに対向する箇所には、直線部１１ｃの先端が挿入可能な小径孔部１７が穿設されている。
【００１３】
次に上記構成の電動モータ１におけるねじりコイルばね１１の組み付け要領について説明する。まず、ブラシ１０をエンドキャップ３のガイド孔１２に挿入した状態で、ねじりコイルばね１１のコイル部１１ａを支持部１４に巻装すると共に、押圧部１１ｂをブラシ１０の係止溝１０ａに係合する。この組み付け途中段階においては、ねじりコイルばね１１の直線部１１ｃはエンドキャップ３の外周面に当接して、ブラシ１０には付勢力が殆んどが作用していない。
【００１４】
次いで、ねじりコイルばね１１の直線部１１ｃを、エンドキャップ３の係止溝１５にその開口側、すなわちエンドキャップ３の外側から係合する。これにより、コイルスプリング１１を、エンドキャップ３に簡単に組み付けることができる。コイルスプリング１１の組み付け後は、押圧部１１ｂがブラシ１０を整流子９の外周に向けて押圧付勢する。
【００１５】
次いで、回路基板４の取付片４ａをエンドキャップ３の切欠部１６に合わせて、ねじりコイルばね１１の直線部１１ｃの先端を回路基板４の小径孔部１７に挿入しつつ回路基板４をエンドキャップ３の前端面に固定する。このとき、ねじりコイルばね１１の直線部１１ｃは、係止溝１５に係合してその位置が定められているため、直線部１１ｃを回路基板４の小径孔部１７に容易に挿入することができる。そして、回路基板４の小径孔部１７から突出したねじりコイルばね１１の直線部１１の先端を回路基板４に半田付け等により電気的に接続することにより、外部電源を回路基板４、ねじりコイルばね１１及びブラシ１０を介して整流子９に給電することができる。
【図面の簡単な説明】
【００１６】
【図１】本発明に係る電動モータの分解斜視図である。
【図２】同じく電動モータの分解斜視図である。
【図３】同じく回路基板を取り付ける前の電動モータの斜視図である。
【図４】同じく電動モータの斜視図である。
【図５】図４におけるＶ−Ｖ線断面図である。
【図６】図５におけるVI−VI線断面図である。
【符号の説明】
【００１７】
１  電動モータ
２  モータケース
３  エンドキャップ
４  回路基板
４ａ  取付片
５  永久磁石
７  回転軸
８  ロータ
９  整流子
１０  ブラシ
１０ａ  係止溝
１１  ねじりコイルばね
１１ａ  コイル部
１１ｂ  押圧部
１１ｃ  直線部
１２  ガイド孔
１３  軸孔
１４  支持部
１５  係止溝
１６  切欠部
１７  小径孔部
【図１】
2009124797.tif 000003
【図２】
2009124797.tif 000004
【図３】
2009124797.tif 000005
【図４】
2009124797.tif 000006
【図５】
2009124797.tif 000007
【図６】
2009124797.tif 000008